(57)【要約】      （修正有）【課題】静止画の連続撮影時の高速駆動性能の向上、及び動画撮影時の滑らかな低速駆動性能の向上を両立させると共に、回折の影響を受けにくくする光量調節装置を提供する。【解決手段】遮光部材６の軸部６ａが嵌合される駆動部材５を回転駆動するモータ１と、遮光部材６の軸部６ｂが係合されるカム穴部１２ｃが形成される駆動部材１２を回転駆動するモータ２と、撮影光路に進入することで、撮影光路を通過する光量を減光する減光フィルタ１３とを備える。遮光部材６は、モータ１により駆動部材５を回転駆動するか、モータ２により駆動部材１２を回転駆動することで開閉方向に動作し、減光フィルタ１３は、モータ２により駆動部材１２を回転駆動することで進退動作する。モータ１の駆動により遮光部材６を開閉動作させる際の分解能は、モータ２の駆動により遮光部材６を開閉動作させる際の分解能よりも高く設定される。【選択図】図２
2014139612.tif 000002
【特許請求の範囲】
【請求項１】
第１の軸部と第２の軸部とが形成され、撮影光路を開閉する方向に動作が可能な遮光部材と、
前記遮光部材の前記第１の軸部が嵌合される第１の駆動部材と、
前記第１の駆動部材を回転駆動する第１のモータと、
前記遮光部材の前記第２の軸部が係合されるカム穴部が形成される第２の駆動部材と、
前記第２の駆動部材を回転駆動する第２のモータと、
前記撮影光路に対して進退動作が可能とされ、前記撮影光路に進入することで、前記撮影光路を通過する光量を減光する減光フィルタと、を備え、
前記遮光部材は、前記第１のモータにより前記第１の駆動部材を回転駆動するか、又は前記第２のモータにより前記第２の駆動部材を回転駆動することにより、前記撮影光路に対して開閉する方向に動作し、
前記減光フィルタは、前記第２のモータにより前記第２の駆動部材を回転駆動することにより、前記撮影光路に対して進退動作し、前記第２の駆動部材の前記遮光部材が開く方向の回転の方向と同一の方向の回転で前記撮影光路に進入し、前記第２の駆動部材の前記遮光部材が閉じる方向の回転の方向と同一の方向の回転により前記撮影光路から退避し、
前記第１のモータの駆動により前記遮光部材を開閉動作させる際の分解能は、前記第２のモータの駆動により前記遮光部材を開閉動作させる際の分解能よりも高いことを特徴とする光量調節装置。
【請求項２】
静止画撮影モードでは、前記第２のモータの駆動により前記減光フィルタを前記撮影光路に対して進入状態にした後、前記第１のモータを駆動して前記遮光部材を閉じる方向に動作させ、動画撮影モードでは、第１のモータの駆動により前記遮光部材を閉じる方向に動作させた後、第２のモータを駆動して前記減光フィルタを前記撮影光路に対して進入状態にすることを特徴とする請求項１に記載の光量調節装置。
【請求項３】
前記減光フィルタが前記撮影光路に進入した状態で前記遮光部材を小絞り状態まで動作させる際の前記第１のモータの駆動量は、前記減光フィルタが前記撮影光路から退避した状態で前記遮光部材を小絞り状態まで動作させる際の前記第１のモータの駆動量より多いことを特徴とする請求項１又は２に記載の光量調節装置。
【請求項４】
前記第１のモータの極数をｍ、前記第２のモータの極数をｎとした場合に、ｍ＞ｎであり、かつ前記第１のモータにより前記第１の駆動部材を回転駆動するときの減速比をＰ、前記第２のモータにより前記第２の駆動部材を回転駆動するときの減速比をＱとした場合に、Ｐ＞Ｑである、ことを特徴とする請求項１乃至３のいずれか一項に記載の光量調節装置。
【請求項５】
前記遮光部材は、絞り羽根であり、前記減光フィルタは、ＮＤフィルタである、ことを特徴とする請求項１乃至４のいずれか一項に記載の光量調節装置。
【発明の詳細な説明】
【技術分野】
【０００１】
本発明は、例えばデジタルカメラ等の撮像装置のレンズ鏡筒に搭載される絞り装置等の光量調節装置に関する。
【背景技術】
【０００２】
コンパクトデジタルカメラでは、レンズ鏡筒に搭載される絞り装置にＮＤフィルタが組み込まれたものがある。この絞り装置は、絞り開口部へのＮＤフィルタの進入・退避を任意に行うものであり、絞りを駆動するモータと、ＮＤフィルタを駆動するアクチュエータの２つの駆動源を備える。
【０００３】
絞り開口部へＮＤフィルタを進入させることで、絞り開口量を変えることなく絞り開口部を通過する光量を減らすことが可能となる。従って、絞りを所定以上絞ることなく光量を減らすことができ、回折現象を防止できる。
【０００４】
一方、静止画及び動画が撮影可能なデジタル一眼レフカメラのレンズ鏡筒に搭載される絞り装置は、静止画撮影では、連続撮影速度向上のために高速駆動が求められ、動画撮影では、非常に滑らかな低速駆動が要求される。
【０００５】
ここに言う滑らかな低速駆動とは、高分解能に低速駆動を行うことを意味する。動画撮影において絞り動作が低分解能であると、不連続で不自然な光量変化が動画として取得されて品位を損なうため、滑らかな低速駆動が要求される。
【０００６】
また、高輝度被写体の撮影時は、絞りを小絞り状態に設定してシャッタ速度を速めるか、レンズ鏡筒の先端にＮＤフィルタを取り付ける必要がある。しかし、絞りを小絞り状態にしすぎると、回折の影響により解像度が悪化する。この解像度の悪化は、フルハイビジョン撮影等の高画質動画モードほど顕著に表れる。
【０００７】
また、動画撮影時にシャッタ速度を所定の速度よりも速くすると、荒いコマ送り動画のように違和感のある映像になる場合があり、これは移動する被写体の撮影時ほど顕著になる。さらに、撮影被写体の輝度に応じて毎回撮影者がレンズ鏡筒の先端にＮＤフィルタを取り付けるのは面倒であり、時間がかかる。
【０００８】
従来、デジタル一眼レフカメラのレンズ鏡筒に搭載される絞り装置は、１つのモータにより駆動されているため、そのモータの特性の範囲内で高速駆動および低速駆動を行っている。
【０００９】
例えば、ステッピングモータを駆動源に用いる絞り装置においては、１−２相駆動により静止画撮影での連続撮影のための高速駆動性能を確保し、マイクロステップ駆動により動画撮影での滑らかな低速駆動を行う（特許文献１）。
【先行技術文献】
【特許文献】
【００１０】
【特許文献１】特開昭６２−２４０９４２号公報
【発明の概要】
【発明が解決しようとする課題】
【００１１】
上記特許文献１では、絞り装置を１つのステッピングモータで駆動するため、例えば、高速駆動性能を満足するようにロータマグネットの磁束密度を高めると、コギングトルクの増大により滑らかな低速駆動性能が損なわれる。このため、１つのステッピングモータの駆動により絞り装置の高速駆動性能と滑らかな低速駆動性能とのバランスを取るしかなく、絞り装置の高速駆動性能の向上と滑らかな低速駆動性能の向上を両立させることは困難である。
【００１２】
また、コンパクトデジタルカメラのレンズ鏡筒に搭載される、上述したＮＤフィルタを内蔵した絞り装置についても、２つの駆動源を備えているものの絞りを駆動する駆動源は１つであるため、上記同様の問題が生じる。
【００１３】
そこで、本発明は、静止画の連続撮影時の高速駆動性能の向上、及び動画撮影時の滑らかな低速駆動性能の向上を両立させることができるとともに、回折の影響を受けにくくすることができる光量調節装置を提供することを目的とする。
【課題を解決するための手段】
【００１４】
上記目的を達成するために、本発明の光量調節装置は、第１の軸部と第２の軸部とが形成され、撮影光路を開閉する方向に動作が可能な遮光部材と、前記遮光部材の前記第１の軸部が嵌合される第１の駆動部材と、前記第１の駆動部材を回転駆動する第１のモータと、前記遮光部材の前記第２の軸部が係合されるカム穴部が形成される第２の駆動部材と、前記第２の駆動部材を回転駆動する第２のモータと、前記撮影光路に対して進退動作が可能とされ、前記撮影光路に進入することで、前記撮影光路を通過する光量を減光する減光フィルタと、を備え、前記遮光部材は、前記第１のモータにより前記第１の駆動部材を回転駆動するか、又は前記第２のモータにより前記第２の駆動部材を回転駆動することにより、前記撮影光路に対して開閉する方向に動作し、前記減光フィルタは、前記第２のモータにより前記第２の駆動部材を回転駆動することにより、前記撮影光路に対して進退動作し、前記第２の駆動部材の前記遮光部材が開く方向の回転の方向と同一の方向の回転で前記撮影光路に進入し、前記第２の駆動部材の前記遮光部材が閉じる方向の回転の方向と同一の方向の回転により前記撮影光路から退避し、前記第１のモータの駆動により前記遮光部材を開閉動作させる際の分解能は、前記第２のモータの駆動により前記遮光部材を開閉動作させる際の分解能よりも高いことを特徴とする。
【発明の効果】
【００１５】
本発明の光量調節装置によれば、静止画の連続撮影時の高速駆動性能の向上、及び動画撮影時の滑らかな低速駆動性能の向上を両立させることができるとともに、回折の影響を受けにくくすることができる。
【図面の簡単な説明】
【００１６】
【図１】本発明の光量調節装置の実施形態の一例である絞り装置の分解斜視図である。
【図２】図１に示す絞り装置の組立状態での断面図である。
【図３】絞り羽根、及びＮＤフィルタのいずれも第２の駆動部材の開口部から退避した初期状態を示す図である。
【図４】（ａ）は第２の駆動部材の開口部に対して絞り羽根が小絞り位置に移動し、かつＮＤフィルタが退避した状態を示す図、（ｂ）は第２の駆動部材の開口部に対して絞り羽根が退避（絞り開放）し、かつＮＤフィルタが進入している状態を示す図である。
【図５】第２の駆動部材の開口部に対して、絞り羽根が小絞り位置に移動し、かつＮＤフィルタが進入した状態を示す図である。
【図６】（ａ）は第２の駆動部材の開口部に対して絞り羽根が小絞り位置に移動し、かつＮＤフィルタが退避した状態を示す図、（ｂ）は第２の駆動部材の開口部に対して絞り羽根が中間絞り位置に移動し、かつＮＤフィルタが進入した状態を示す図である。
【図７】第２の駆動部材の開口部に対して、絞り羽根が小絞り位置に移動し、かつＮＤフィルタが進入した状態を示す図である。
【発明を実施するための形態】
【００１７】
以下、本発明の実施形態の一例を図面を参照して説明する。
【００１８】
図１は本発明の光量調節装置の実施形態の一例である絞り装置の分解斜視図、図２は図１に示す絞り装置の組立状態での断面図である。なお、本実施形態では、デジタル一眼レフカメラのレンズ鏡筒に搭載される絞り装置を例に採る。
【００１９】
本実施形態の絞り装置は、図１及び図２に示すように、第１のモータ１、カバー部材３、第２のモータ２、ベース部材４、第１の駆動部材５、絞り羽根６〜１１、第２の駆動部材１２、及びＮＤフィルタ１３を備える。ここで、絞り羽根６〜１１は、本発明の遮光部材の一例に相当し、ＮＤフィルタ１３は、本発明の減光フィルタの一例に相当する。
【００２０】
第１のモータ１は、極数がｍ極のステッピングモータにより構成され、出力軸の先端には、ピニオン１ａが固定されている。カバー部材３には、中央に開口部３ａが形成されるとともに、開口部３ａと外周部との間に円弧状の切欠き穴３ｂが形成されている。切欠き穴３ｂには、ピニオン１ａがカバー部材３の図の上面側から挿入され、この状態で第１のモータ１がカバー部材３に固定される。
【００２１】
第２のモータ２は、極数がｎ極のステッピングモータにより構成され、出力軸の先端には、ピニオン２ａが固定されている。ベース部材４には、中央に開口部４ａが形成されるとともに、開口部４ａと外周部との間に円弧状の切欠き穴４ｄが形成されている。
【００２２】
切欠き穴４ｂには、ピニオン２ａがベース部材４の図の下面側から挿入され、この状態で第２のモータ２がベース部材４に固定される。また、ベース部材４には、ＮＤフィルタ１３の回動軸１３ｃが回転可能にされる軸穴４ｂと、第２の駆動部材１２の外周部が回転可能に嵌合される環状リブ４ｃが設けられている。
【００２３】
第１の駆動部材５は、絞り羽根６〜１１を開閉動作させる部材であり、中央に開口部５ｃが形成されるとともに、外周部にギア部５ｂが設けられている。また、第１の駆動部材５の開口部５ｃの周囲には、環状突起５ａが設けられ、環状突起５ａの径方向外側の面には、穴部５ｄ〜５ｉが形成されている。
【００２４】
環状突起５ａは、カバー部材３の開口部３ａに回転可能に嵌合され、ギア部５ｂの径方向外側に形成された歯に第１のモータ１のピニオン１ａが噛合することで、第１の駆動部材５が第１のモータ１により回転駆動される。
【００２５】
絞り羽根６〜１１は、一方の面に第１の軸部６ａ〜１１ａが設けられ、他方の面に第２の軸部６ｂ〜１１ｂ（一部不図示）が設けられている。
【００２６】
第２の駆動部材１２は、絞り羽根６〜１１を撮影光路に対して開閉動作させるとともに、ＮＤフィルタ１３を撮影光路に対して進退動作させる部材であり、中央に開口部１２ａが形成されるとともに、外周部にギア部１２ｂが設けられている。ギア部１２ｂの径方向内側に形成された歯に第２のモータ２のピニオン２ａが噛合することで、第２の駆動部材１２が第２のモータ２により回転駆動される。
【００２７】
また、第２の駆動部材１２には、カム穴部１２ｃ〜１２ｈが設けられている。カム穴部１２ｃ〜１２ｈには、第２の駆動部材１２の中心からの距離が変化しない第１の領域と、第１の領域から第２の駆動部材１２の中心に次第に近づく第２の領域とが連続して形成されている（図３参照）。
【００２８】
カム穴部１２ｃ〜１２ｈには、第２の駆動部材１２の表面側（図の上面側）から絞り羽根６〜１１の第２の軸部６ｂ〜１１ｂが摺動可能に係合する。また、カム穴部１２ｆには、ＮＤフィルタ１３の第２の軸部１３ｄが第２の駆動部材１２の裏面側（図の下面側）から摺動可能に係合する。
【００２９】
ＮＤフィルタ１３は、フィルタ部１３ａ、腕部１３ｂ、第１軸部１３ｃ、及び第２軸部１３ｄを有し、撮影光路に対して進退する方向に動作する。
【００３０】
カバー部材３は、第１の駆動部材５、絞り羽根６〜１１、第２の駆動部材１２、及びＮＤフィルタ１３をベース部材４との間に挟んでベース部材４に固定される。その際、第１の駆動部材５の環状突起５ａは、カバー部材３の開口部３ａに嵌合されて回転可能に支持される。
【００３１】
また、絞り羽根６〜１１は、第１の駆動部材５と第２の駆動部材１２の間に配置され、絞り羽根６〜１１の第１の軸部６ａ〜１１ａは、第１の駆動部材５の穴部５ｄ〜５ｉにそれぞれ回動可能に嵌合される。第２の軸部６ｂ〜１１ｂは、第２の駆動部材１２のカム穴部１２ｃ〜１２ｈにそれぞれ摺動可能に嵌合される。
【００３２】
ＮＤフィルタ１３は、第２の駆動部材１２とベース部材４の間に配置され、ＮＤフィルタ１３の第１の軸部１３ｃは、ベース部材４の軸穴部４ｂに回動可能に嵌合され、第２の軸部１３ｄは、第２の駆動部材１２のカム穴部１２ｆに摺動可能に嵌合され。また、第２の駆動部材１２は、その外周部がベース部材４の環状リブの内周部に回転可能に嵌合される。
【００３３】
ベース部材４の開口部４ａ、第１の駆動部材５の開口部５ｃ、及び第２の駆動部材１２の開口部１２ａは略同径とされ、最大開口を規制するのはこれら３つの部材のいずれでも良い。また、本実施形態では、第２の駆動部材１２の開口部１２ａを撮影光路として説明する。
【００３４】
そして、第１のモータ１を図１の反時計周り方向に回転させてピニオン１ａを同方向に回転させることで、ピニオン１ａに噛合するギア部５ｂを介して第１のモータ１の回転が第１の駆動部材５に伝達される。これにより、第１の駆動部材５が図１の時計周り方向に回転する。このとき、第２のモータ２及び第２の駆動部材１２は停止している。
【００３５】
また、第１の駆動部材５の穴部５ｄ〜５ｉには、絞り羽根６〜１１の第１の軸部６ａ〜１１ａが嵌合しているので、第１の駆動部材５の回転により、第２の軸部６ｂ〜１１ｂが第２の駆動部材１２のカム穴部１２ｃ〜１２ｈに沿って移動する。これにより、絞り羽根６〜１１が第１の軸部６ａ〜１１ａを支点に撮影光路に進入する方向（閉じ方向）に回動して絞り位置に配置される。なお、絞り羽根６〜１１の絞り開口量（絞り値）は、第１のモータ１の絞り開放状態からの駆動ステップ数で制御される。
【００３６】
同様に、第２のモータ２を図１の反時計周り方向に回転させてピニオン２ａを同方向に回転させることで、ピニオン２ａに噛合するギア部１２ｂを介して第２のモータ２の回転が第２の駆動部材１２に伝達される。これにより、第２の駆動部材１２が図１の時計周り方向に回転する。このとき、第１のモータ１及び第１の駆動部材５は停止している。
【００３７】
また、絞り羽根６〜１１は、第２の駆動部材１２の回転により、第２の軸部６ｂ〜１１ｂが第２の駆動部材１２のカム穴部１２ｃ〜１２ｈに沿って移動する。これにより、絞り羽根６〜１１が第１の軸部６ａ〜１１ａを中心に撮影光路に進入する方向（閉じ方向）に回動して絞り位置に配置される。なお、絞り羽根６〜１１の絞り開口量（絞り値）は、第２のモータ２の絞り開放状態からの駆動ステップ数で制御される。
【００３８】
ここで、第１のモータ１の極数をｍ、第２のモータ２の極数をｎとした場合に、ｍ＞ｎと設定することで、極数の多い第１のモータ１のピニオン１ａの１回転に要するステップ数はピニオン２ａに比べて多くなる。
【００３９】
例えば、第１のモータ１の極数を２０極、第２のモータ２の極数を１０極に設定すると、２−２相駆動時に第１のモータ１のピニオン１ａの１回転に要するステップ数は４０、第２のモータ２のピニオン２ａの１回転に要するステップ数は２０となる。
【００４０】
また、ピニオン１ａとギア部５ｂとの減速比をＰとし、ピニオン２ａとギア部１２ｂとの減速比をＱとして、Ｐ＝Ｑに設定すると、絞り羽根６〜１１を開放状態から小絞り状態まで駆動する際の総ステップ数は、極数の多い第１のモータ１の方が多くなる。
【００４１】
例えば、絞り羽根６〜１１を開放状態から小絞り状態まで駆動する場合、第１のモータ１が３回転必要なら、第２のモータ２も３回転必要となり、第１のモータ１の駆動ステップ数は４０×３＝１２０、第２のモータ２の駆動ステップ数は２０×３＝６０となる。
【００４２】
すなわち、第１のモータ１の駆動により絞り羽根６〜１１を絞り動作させる際の分解能は、第２のモータ２の駆動により絞り羽根６〜１１を絞り動作させる際の分解能よりも高いことになる。したがって、第１のモータ１で絞り羽根６〜１１を駆動した方がより滑らかな駆動が可能となる。これは、絞り羽根６〜１１を低速駆動する場合に有利であり、動画撮影に向いている。
【００４３】
また、同じ絞り値まで駆動する場合、第１のモータ１で駆動するよりも第２のモータ２で駆動するほうが駆動ステップ数が少なくて済む。従って、同一の駆動周波数で駆動した場合には第２のモータ２で駆動した方がより高速な駆動が可能となり、連続撮影速度の向上を目的とした静止画撮影に向いている。
【００４４】
なお、本実施形態では、ｍ＞ｎ、Ｐ＝Ｑと設定しているが、ｍ＝ｎ、Ｐ＞Ｑ  と設定しても上記同様の効果が得られる。例えば、第１のモータ１の極数ｍと第２のモータ２の極数ｎをともに１０極に設定すると、２−２相駆動時に第１のモータ１のピニオン１ａ及び第２のモータ２のピニオン２ａの１回転に要するステップ数は２０となる。
【００４５】
また、絞り羽根６〜１１を開放状態から小絞り状態まで駆動する場合、第１のモータ１は６回転で小絞り状態となるように減速比Ｐを３０（ピニオン１ａの歯数を８、ギア部５ｂの歯数を２４０）に設定する。
【００４６】
更に、第２のモータ２は３回転で小絞り状態となるように減速比Ｑを１５（ピニオン２ａの歯数を１２、ギア部１２ｂの歯数を１８０）に設定する。これにより、第１のモータ１の駆動ステップ数は２０×６＝１２０、第２のモータ２の駆動ステップ数は２０×３＝６０となり、上記同様の効果が得られる。
【００４７】
次に、図３乃至図７を参照して、本実施形態の絞り装置の動作例について説明する。なお、図３乃至図７では、説明の便宜上、絞り羽根６〜１１、第２の駆動部材１２、及びＮＤフィルタ１３以外の図示、及び第２の駆動部材１２のギア部１２ｂの図示を省略している。
【００４８】
図３は絞り装置の初期状態を示す図、図４及び図５は静止画撮影モードにおける絞り装置の動作例を説明するための図、図６及び図７は動画撮影モードにおける絞り装置の動作例を説明するための図である。
【００４９】
まず、図３を参照して、絞り装置の初期状態について説明する。図３では、絞り羽根６〜１１、及びＮＤフィルタ１３のいずれも撮影光路から退避している。また、絞り羽根６〜１１の第２軸部６ｂ〜１１ｂは、第２の駆動部材１２のカム穴部１２ｃ〜１２ｈの第１の領域と第２の領域との境界に位置し、ＮＤフィルタ１３の第２の軸部１３ｄは、第２の駆動部材１２のカム穴部１２ｆの第１の領域の端部に位置している。
【００５０】
次に、図４及び図５を参照して、静止画撮影モードにおける絞り装置の動作例について説明する。図４（ａ）は、撮影光路に対して、絞り羽根６〜１１が小絞り位置に移動し、かつＮＤフィルタ１３が退避した状態を示す図である。図３の状態から第２のモータ２を正回転させて第２の駆動部材１２を図の時計周り方向に回転させると、図４（ａ）に示すように、カム穴部１２ｃ〜１２ｈが時計周り方向に移動する。
【００５１】
このとき、絞り羽根６〜１１は、第２の軸部６ｂ〜１１ｂがカム穴部１２ｃ〜１２ｈの第２の領域に沿って移動し、停止状態の第１の駆動部材５の穴部５ｄ〜５ｉに嵌合された第１の軸部６ａ〜１１ａを中心に回転する。これにより、絞り羽根６〜１１が撮影光路に進入する方向に回動して図４（ａ）に示す小絞り状態になる。
【００５２】
図４（ｂ）は、撮影光路に対して、絞り羽根６〜１１が退避（絞り開放）し、かつＮＤフィルタ１３が進入している状態を示す図である。図３の状態から第２のモータ２を逆回転させて第２の駆動部材１２を図の反時計周り方向に回転させると、カム穴部１２ｃ〜１２ｈが反時計周り方向に移動する。
【００５３】
このとき、ＮＤフィルタ１３は、第２の軸部１３ｄがカム穴部１２ｆの第１の領域の端部（図の左端部）に押されてベース部材４の軸穴部４ｂに嵌合された第１の軸部１３ｃを中心に反時計周り方向に回転する。
【００５４】
そして、ＮＤフィルタ１３のフィルタ部１３ａが撮影光路の中心（光軸中心）まで回転した時点で第２のモータ２の駆動が停止され、図４（ｂ）の状態となる。なお、ＮＤフィルタ１３のフィルタ部１３ａが撮影光路の中心まで回転した際に、第２の駆動部材１２に設けたストッパ部をベース部材４に設けたストッパ部に当接させ、この当接時点で第２のモータ２の駆動を停止するようにしてもよい。
【００５５】
このとき、絞り羽根６〜１１の第２の軸部６ｂ〜１１ｂは、第２の駆動部材１２のカム穴部１２ｃ〜１２ｈの第１の領域だけを移動するため、絞り羽根６〜１１は、撮影光路から退避した状態が維持される。
【００５６】
また、第２の駆動部材１２のカム穴部１２ｆは、他のカム穴部１２ｃ〜１２ｅ，１２ｇ，１２ｈより第１の領域の端部が延長されており、ＮＤフィルタ１３の第２の軸部１３ｄが絞り羽根９の第２の軸部９ｂと干渉しないようになっている。
【００５７】
図５は、撮影光路に対して、絞り羽根６〜１１が小絞り位置に移動し、かつＮＤフィルタ１３が進入した状態を示す図である。図４（ｂ）の状態から第１のモータ１を正回転させて第１の駆動部材５を図の反時計周り方向に回転させる。ここで、第１の駆動部材５の穴部５ｄ〜５ｉには、絞り羽根６〜１１の第１の軸部６ａ〜１１ａが嵌合されているので、第１の駆動部材５の反時計周り方向の回転により、第１の軸部６ａ〜１１ａが同方向に移動する。
【００５８】
これにより、絞り羽根６〜１１の第２の軸部６ｂ〜１１ｂが第２の駆動部材１２のカム穴部１２ｃ〜１２ｈの第１の領域を移動した後、第２の領域に沿って移動し、絞り羽根６〜１１が撮影光路に進入する方向に回動して図５に示す小絞り状態になる。
【００５９】
以上のように、静止画撮影モードでは、絞り羽根６〜１１のみを絞り動作させる場合は、第２のモータ２を正回転駆動すれば良い。また、絞り羽根６〜１１とＮＤフィルタ１３の両方を撮影光路に進入させる場合は、第２のモータ２を逆回転駆動させてＮＤフィルタ１３を進入状態にした後、第１のモータ１を正回転駆動させて絞り羽根６〜１１を絞り動作させる。
【００６０】
次に、図６及び図７を参照して、動画撮影モードにおける絞り装置の動作例について説明する。図６（ａ）は、撮影光路に対して、絞り羽根６〜１１が小絞り位置に移動し、かつＮＤフィルタ１３が退避した状態を示す図である。
【００６１】
図３の状態から第１のモータ１を正回転させて第１の駆動部材５を図の反時計周り方向に回転させると、第１の駆動部材５の穴部５ｄ〜５ｉに嵌合された絞り羽根６〜１１の第１の軸部６ａ〜１１ａが同方向に移動する。
【００６２】
これにより、絞り羽根６〜１１の第２軸部６ｂ〜１１ｂが第２の駆動部材１２のカム穴部１２ｃ〜１２ｈの第２の領域に沿って移動し、絞り羽根６〜１１が撮影光路に進入する方向に回動して図６（ａ）に示す小絞り状態になる。
【００６３】
ここで、図５において、ＮＤフィルタ１３が撮影光路に進入した状態で絞り羽根６〜１１を小絞り状態まで移動させる際の第１のモータ１の駆動量をＡとする。また、図６（ａ）において、ＮＤフィルタ１３が撮影光路から退避した状態で絞り羽根６〜１１を小絞り状態まで移動させる際の第１のモータ１の駆動量をＢとすると、ＡはＢより多い（Ａ＞Ｂ）。
【００６４】
図６（ｂ）は、撮影光路に対して、絞り羽根６〜１１が中間絞り位置に移動し、かつＮＤフィルタ１３が進入した状態を示す図である。
【００６５】
図６（ａ）の状態から第２のモータ２を逆回転させて第２の駆動部材１２を図の反時計周り方向に回転させると、第２の駆動部材１２のカム穴部１２ｃ〜１２ｈが同方向に移動する。
【００６６】
このとき、ＮＤフィルタ１３は、第２の軸部１３ｄがカム穴部１２ｆの第１の領域の端部に押されてベース部材４の軸穴部４ｂに嵌合された第１の軸部１３ｃを中心に反時計周り方向に回転する。
【００６７】
そして、ＮＤフィルタ１３のフィルタ部１３ａが撮影光路の中心（光軸中心）まで回転した時点で第２のモータ２の駆動が停止される。なお、ＮＤフィルタ１３のフィルタ部１３ａが撮影光路の中心まで回転した際に、第２の駆動部材１２に設けたストッパ部をベース部材４に設けたストッパ部に当接させ、この当接時点で第２のモータ２の駆動を停止するようにしてもよい。
【００６８】
このとき、絞り羽根６〜１１の第２の軸部６ｂ〜１１ｂは、第２の駆動部材１２のカム穴部１２ｃ〜１２ｈの第２の領域の途中まで移動するため、絞り羽根６〜１１は、開き方向に移動する。すなわち、図６（ｂ）に示すように、ＮＤフィルタ１３のフィルタ部１３ａが撮影光路の中心まで回転した状態では、絞り羽根６〜１１は、中間絞り状態となる。
【００６９】
このように、絞り羽根６〜１１が中間絞り位置まで開くことで通過光量が増加する量と、ＮＤフィルタ１３が撮影光路の中心に進入することで通過光量が減少する量とを同一にすることで、ＮＤフィルタ１３の進入時の通過光量の変化を防ぐことが可能となる。
【００７０】
例えば、ＮＤフィルタ１３を撮影光路に進入させるための第２の駆動部材１２の回転角度を、絞りＦ値がＦ２２からＦ１１へと変化して光量が４倍となるような角度に設定し、ＮＤフィルタ１３の減光量が１／４となるようにすれば良い。
【００７１】
図７は、撮影光路に対して、絞り羽根６〜１１が小絞り位置に移動し、かつＮＤフィルタ１３が進入した状態を示す図である。
【００７２】
図６（ｂ）の状態から再び第１のモータ１を正回転させて第１の駆動部材５を図の反時計周り方向に回転させると、第１の駆動部材５の穴部５ｄ〜５ｉに嵌合された絞り羽根６〜１１の第１の軸部６ａ〜１１ａが同方向に移動する。これにより、絞り羽根６〜１１は、第２の軸部６ｂ〜１１ｂが第２の駆動部材１２のカム穴部１２ｃ〜１２ｈに沿って移動し、図７に示す小絞り状態になる。
【００７３】
以上のように、動画撮影モードでは、絞り羽根６〜１１のみを絞り動作させる場合は、第１のモータ１を正回転駆動すれば良い。また、絞り羽根６〜１１とＮＤフィルタ１３の両方を撮影光路に進入させる場合は、第１のモータ１を正回転駆動させて絞り羽根６〜１１を絞り動作（中間絞り）させた後、第２のモータ２を逆回転駆動させてＮＤフィルタ１３を進入状態にする。その後、さらに光量を減少させたい場合は、再び第１のモータ１を正回転駆動させて絞り羽根６〜１１を絞り動作（小絞り）させれば良い。
【００７４】
例えば、動画撮影モードの場合、撮影中に絞り羽根６〜１１を回折の影響が出ない小絞り位置まで移動（図６（ａ））させても光量オーバになるとき、ＮＤフィルタ１３を撮影光路に進入（図６（ｂ））させた後、絞り羽根６〜１１を絞ればよい（図７）。このとき、ＮＤフィルタ１３の進入時に通過光量の変化がないので、撮影中に明るさが急変するような違和感が出ない露出制御が可能となる。
【００７５】
以上説明したように、本実施形態では、絞り羽根６〜１１のみの絞り動作において、静止画撮影モードでは、分解能は劣るが高速に駆動可能な第２のモータ２で駆動し、動画撮影モードでは、分解能が高く滑らかな低速駆動が可能な第１のモータ１で駆動する。このように、両撮影モードの使い分けにより、静止画および動画のそれぞれの撮影における、高速駆動及び滑らか低速駆動の両立が可能となる。
【００７６】
また、本実施形態では、絞り羽根６〜１１及びＮＤフィルタ１３を動作させる場合に、静止画撮影モードでは、第２のモータ２を逆回転駆動させてＮＤフィルタ１３を進入状態にした後、第１のモータ１を正回転駆動させて絞り羽根６〜１１を絞り動作させる。また、動画撮影モードでは、第１のモータ１を正回転駆動させて絞り羽根６〜１１を絞り動作させた後、第２のモータ２を逆回転駆動させてＮＤフィルタ１３を進入状態にする。さらに、絞り羽根６〜１１を絞り込みたい場合は、再度第１のモータ１を正回転駆動させて絞り羽根６〜１１を絞り動作させる。
【００７７】
従って、小絞り状態でＮＤフィルタ１３をセットしたいときは、静止画撮影時の方が素早くセット可能となる。また、ＮＤフィルタ１３のみを動作させる専用モータを設けることなく、静止画撮影時でも動画撮影時でも自動でＮＤフィルタ１３の進入動作が可能となる。このため、絞り口径をより小さくすることなく高輝度対策ができるので、回折の影響を受けにくくなる。
【００７８】
また、本実施形態では、ＮＤフィルタ１３を用いた動画撮影にあたっては、ＮＤフィルタ１３の進入時に連動して絞り羽根６〜１１が開き方向に駆動するので通過光量の変化がない。これにより、撮影中に明るさが急変するような違和感が出ない露出制御が可能となる。
【００７９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００８０】
１  第１のモータ
２  第２のモータ
３  カバー部材
４  ベース部材
５  第１の駆動部材
６〜１１  絞り羽根
１２  第２の駆動部材
１３  ＮＤフィルタ
【図１】
2014139612.tif 000003
【図２】
2014139612.tif 000004
【図３】
2014139612.tif 000005
【図４】
2014139612.tif 000006
【図５】
2014139612.tif 000007
【図６】
2014139612.tif 000008
【図７】
2014139612.tif 000009